(57)【要約】【課題】肩掛けベルトが使用中にランドセルの重量により肩からずれず、ランドセルの背当て部が使用者の背中に密着して、ランドセルの重心が使用者の背中から離れず、重く感じることがなく、しかも使用感の良いランドセルを提供する。【解決手段】ランドセル本体２の背当て部３の上部に設けた取付具４に、肩掛けベルト１の取付環６をランドセル本体２から上方に向いた状態で取り付けたものとしている。さらに、ランドセル本体２の背当て部３の上部に設けた取付具４の左右一対の連結体５の上端部に、肩掛けベルト１の取付環６をランドセル本体２から上方に向いた状態で取り付けたものとしている。【選択図】        図１
2004267687.tif 000002
【特許請求の範囲】
【請求項１】
ランドセル本体（２）の背当て部（３）の上部に設けた取付具（４）に、肩掛けベルト（１）の取付環（６）をランドセル本体（２）から上方に向いた状態で取り付けたことを特徴とするランドセル。
【請求項２】
ランドセル本体（２）の背当て部（３）の上部に設けた取付具（４）の左右一対の連結体（５）の上端部に、肩掛けベルト（１）の取付環（６）をランドセル本体（２）から上方に向いた状態で取り付けたことを特徴とするランドセル。
【請求項３】
前記取付環（６）を、前後方向に約２０〜６５度の回動角の範囲で回動自在にしたことを特徴とする請求項１または２記載のランドセル。
【請求項４】
前記取付環（６）の最小高さ（Ｈｌ）を約５〜２０ｍｍとし、最大高さ（Ｈｈ）を約２０〜３０ｍｍにしたことを特徴とする請求項１または２記載のランドセル。
【発明の詳細な説明】
【０００１】
【発明の属する技術分野】
この発明は、ランドセル本体の肩掛けベルトおよびその取付具を改良したランドセルに関するものである。
【０００２】
【従来の技術】
従来のランドセルの取付具としては、図１９に示したように、金属板を二つ折りにした連結体３１の折り曲げ部の略中央部を分断して二つの挿通部３２、３２を設け、それぞれの挿通部３２、３２の下方に止め孔３３、３３を設けると共に、前記挿通部３２、３２の互いに向き合う端部側に形成される空間部３４に略Ω形状の吊下環３５の脚部を回動自在に取り付け、さらにこれら挿通部３２、３２の両端にそれぞれ略三角形状の連結環３７、３７を回動自在に取り付けたものが存在する。
【０００３】
このように構成されたランドセルの取付具は、図２０に示したように、ランドセル本体４１の背当て部４２の最上段または最上段から少し下げた位置に連結体３１を取り付け、連結環３７、３７にそれぞれ肩掛けベルト４３、４３の上端を取り付けていた。
【０００４】
前記肩掛けベルト４３は、厚手の皮革や合成樹脂地等からなる上層体と、発泡合成樹脂体に薄手の皮革や合成樹脂地等を巻き付けてなる下層体より構成され、これらを重ね合わせて両側部を縫着したものとしている。
【０００５】
【発明が解決しようとする課題】
しかしながら、上記従来のランドセルでは、図２１に示したように、連結体３１の挿通部３２、３２の両端に取り付けられた連結環３７、３７が使用者の背中方向に回動し、連結環３７、３７に取り付けた肩掛けベルト４３、４３が、使用中にランドセルの重量により次第に肩からずれて、使用者の背中から離れて後方へ傾いてしまう。そのため、ランドセルの重心が使用者の背中から離れ、ランドセルが背負い難くなると共に重く感じるという課題を有していた。
【０００６】
さらに、上記従来のランドセルでは、肩掛けベルト４３が上記したような構成であるため、張りがなく柔らかいので、使用中に使用者の肩からずれ易くなり、ランドセルが背負い難くなると共に重く感じるという上記課題を助長することになっていた。
【０００７】
また、上記従来のランドセルでは、使用者の背中から離れて後方へ傾いてしまうため、ランドセル本体４１の背当て部４２の下端部が使用者の背中に当たって、使用者が痛みを感じたりし、使用感が悪いという課題を有していた。
【０００８】
そこで、この発明は、上記従来の課題を解決するものであり、肩掛けベルトが使用中にランドセルの重量により肩からずれず、ランドセルの背当て部が使用者の背中に密着して、ランドセルの重心が使用者の背中から離れず、重く感じることがなく、しかも使用感が良いランドセルを提供することを目的としてなされたものである。
【０００９】
【課題を解決するための手段】
この発明のランドセルは、ランドセル本体２の背当て部３の上部に設けた取付具４に、肩掛けベルト１の取付環６をランドセル本体２から上方に向いた状態で取り付けたものとしている。
【００１０】
さらに、この発明のランドセルは、ランドセル本体２の背当て部３の上部に設けた取付具４の左右一対の連結体５の上端部に、肩掛けベルト１の取付環６をランドセル本体２から上方に向いた状態で取り付けたものとしている。
【００１１】
また、この発明のランドセルは、前記取付環６を、前後方向に約２０〜６５度の回動角の範囲で回動自在にしたものとすることができる。
【００１２】
さらにまた、この発明のランドセルは、前記取付環６の最小高さＨｌを約５〜２０ｍｍとし、最大高さＨｈを約２０〜３０ｍｍにしたものとすることができる。
【００１３】
【発明の実施の形態】
以下、この発明のランドセルの実施の形態を、図面に基づいて詳細に説明する。
【００１４】
図１は、この発明のランドセルを背当て部側から見た部分拡大図を示している。１は一対の肩掛けベルトであり、これら肩掛けベルト１の上端部は、ランドセル本体２の背当て部３の上部に設けた取付具４に取り付けられている。また、肩掛けベルト１の下端部は、ランドセル本体２の底部に設けた取付具（図示せず）に取り付けられている。なお、背当て部３の上部とは、背当て部３の最上端または最上端から少し下げた位置のことをいう。
【００１５】
前記肩掛けベルト１は、図２に示したように、厚手の皮革や合成樹脂地等からなる上層体１ａと、発泡合成樹脂体に薄手の皮革や合成樹脂地等を巻き付けてなる下層体１ｂより構成され、これら上層体１ａと下層体１ｂを重ね合わせて、その両側部を縫着したものとしている。なお、この肩掛けベルト１は、必要に応じて、弾性合成樹脂板や弾性金属板、弾性線材などの弾性部材（図示せず）を、前記上層体１ａの上部と下層体１ｂの上部の間に挟み込んだり、これらの表裏面に沿わせたりすることにより、保持したものとしてもよい。
【００１６】
前記取付具４は、図３〜６に示したように、左右一対の連結体５の上端部に、肩掛けベルト１の取付環６をランドセル本体２から上方に向いた状態で取り付けたものとしている。この取付環６は、図示したような略台形状としたり、その他の四角形状等とすることができ、連結体５の上端部に固定したり、前後方向に約２０〜６５度の回動角の範囲で回動するようにして取り付けたものとしている。前記取付環６を約２０〜６５度の回動角の範囲で回動するようにするには、図７に示したように、連結体５の上端部の両側部に略Ｖ字状の溝７を設け、この溝７のＶ字の角度を約２０〜６５度の角度に調整したものとし、この溝７の下部に設けた挿入穴７ａに取付環６の両端軸部６ａを挿入し、取付環６を回動させた時に取付環６の基部６ｂの前後面が溝７の側壁７ｂに当たるようにしている。なお、前記取付環６の回動角は、肩掛けベルト１方向への最大回動角を約２０度、背当て部３方向への最大回動角を約４５度とするのが、後に述べるこの発明の効果を発揮したり、ランドセルを箱詰めする場合に肩掛けベルト１をランドセル本体２のタレ８に沿うように曲げ易くなるので好ましい。また、前記取付環６は、最小高さＨｌを約５〜２０ｍｍとし、最大高さＨｈを約２０〜３０ｍｍとするのが、後に述べるこの発明の効果を発揮するのに好ましいものとなる。
【００１７】
さらに、前記取付具４は、左右一対の連結体５の対向側面にそれぞれ歯部５ａを設け、これら歯部５ａを互いに噛み合わせて連結体５を背当て部３にそれぞれ左右方向に揺動自在に取り付けると共に、連結体５にそれぞれ内方向の弾力を付したものとしている。図に示した実施の形態では、前記連結体５を背当て部３に左右方向に揺動自在に取り付けるには、連結体５を上下被覆板９ａ、９ｂの間に挟み込み、連結体５に形成した摺動孔１０に下被覆板９ｂに設けた摺動体１１を入り込ませ、連結体５の下端に設けた軸孔１２に下被覆板９ｂに設けた支体１３を軸支している。さらに、前記連結体５に内方向の弾力を付すには、それぞれの連結体５の外側面５ｂを内方向に押し付けるバネ１４を上下被覆板９ａ、９ｂの間に取り付けている。このバネ１４は、略Ｕ字状としており、外体１４ａは下被覆板９ｂに設けた支持部１５および支持体１６に支持され、内体１４ｂは連結体５の外側面５ｂに当接するようにしている。なお、１７は上被覆板９ａの上に当生地１８（図１参照）を押さえ付けておくための押板である。１９は不使用時にランドセルを吊り下げておくための吊下環であり、下被覆板９ｂの上端中央部に取り付けられている。
【００１８】
そして、前記取付具４は、押板１７に設けられたリベット孔２０から上被覆板９ａに設けられたリベット孔２１にリベット２２を貫通させ、さらにこのリベット２２を下被覆板９ｂに設けられたリベット孔２３を貫通させて、ランドセル本体２の背当て部３の裏側に取り付けられる止板（図示せず）にリベット止めしている。
【００１９】
また、前記取付具４は、図８〜１０に示したように、左右一対の連結体５の上端部に、肩掛けベルト１の取付環６をランドセル本体２から上方に向いた状態で取り付けたものとしている。この取付環６は、略三角形状としており、この略三角形状とした上辺部６ｃを平坦にすると共に上方に屈曲部６ｄを形成したものとしている。前記取付環６の上辺部６ｃには、この上辺部６ｃの屈曲部６ｄへの嵌め込み部２４ａを設けた透明の弾性合成樹脂板２４を取り付けたものとしている。この弾性合成樹脂板２４に前記肩掛けベルト１を保持させることにより、肩掛けベルト１が取付環６の上辺部６ｃで動かないようにしている。そして、この取付環６をランドセル本体２から上方に向いた状態で取り付けるには、連結体５の上端部に形成した角形の挿入孔５ｃに回動不能に嵌入した角パイプＣに、取付環６の両端軸部６ａを平坦にして回動不能に嵌入し、取付環６を連結体５の上端部に固定したものとしている。
【００２０】
さらに、前記取付具４は、図１１、１２に示したように、左右一対の連結体５の上端部に、肩掛けベルト１の取付環６をランドセル本体２から上方に向いた状態で取り付けたものとしている。この取付環６は、略三角形状としており、この略三角形状とした上辺部６ｃを平坦にすると共に上方に屈曲部６ｄを形成したものとしている。前記取付環６の上辺部６ｃには、この上辺部６ｃの屈曲部６ｄへの嵌め込み部２４ａを設けた透明の弾性合成樹脂板２４を取り付けたものとしている。この弾性合成樹脂板２４に前記肩掛けベルト１を保持させることにより、肩掛けベルト１が取付環６の上辺部６ｃで動かないようにしている。そして、この取付環６をランドセル本体２から上方に向いた状態で取り付けるには、連結体５の上端部に形成した挿入孔５ｃの両端の前方側に当部５ｄを形成し、取付環６の両端軸部６ａを連結体５の挿入孔５ｃに回動自在に挿入したものとしている。このようにすると、ランドセルを背負った場合に肩掛けベルト１が使用者側に引かれ、前記当部５ｄに取付環６の基部６ｂが当接して、この取付環６はランドセル本体２から上方に向いた状態が維持されることになる。
【００２１】
以上のように構成したこの発明のランドセルは、図１３〜１８に示したように、取付具４の連結体５に取り付けられた肩掛けベルト１の取付環６がランドセル本体２から上方に向いた状態となっている。そのため、使用者がランドセルを背負った場合には、図１４、１６に示したように、ランドセル本体２が肩掛けベルト１によって常に上方または斜め上方に引っ張られた状態となる。また、肩掛けベルト１の取付部寄りに弾性部材（図１７、１８参照）が保持されているものでは、肩掛けベルト１が使用者の肩に添うように曲がる。
【００２２】
したがって、このような状態で、この発明のランドセルを背負うと、ランドセル本体２の背当て部３が使用者の背中に密着した状態に保たれることになる。
【００２３】
さらに、この発明のランドセルは、ランドセル本体２の背当て部３の上部での肩掛けベルト１の位置を、連結体５の揺動幅内において、使用者の体格に応じて左右方向に移動することができると共に、連結体５に付される内方向の弾力によって、その体格に応じた位置に維持しておける。
【００２４】
したがって、この発明のランドセルは、肩掛けベルト１の位置を使用者の体格に応じたものとすることができると共に、使用者の肩に密着させた状態にしておくことができる。
【００２５】
【発明の効果】
この発明のランドセルは、以上に述べたように構成されているので、肩掛けベルトが使用中にランドセルの重量により肩からずれず、ランドセルの背当て部が使用者の背中に密着して、ランドセルの重心が使用者の背中から離れず、重く感じることがなく、しかも使用感が良いものとなった。
【図面の簡単な説明】
【図１】この発明のランドセルを背当て部側から見た状態を示す部分拡大図である。
【図２】この発明のランドセルの肩掛けベルトの上端部の斜視図である。
【図３】この発明のランドセルの取付具の一例の上被覆板を外した状態を示す斜視図である。
【図４】図３に示す取付具の分解斜視図である。
【図５】この発明のランドセルの取付具の他の例の上被覆板を外した状態を示す斜視図である。
【図６】図５に示す取付具の分解斜視図である。
【図７】図５に示す取付具の連結体から取付環を外した状態を示す斜視図である。
【図８】この発明のランドセルの取付具のさらに他の例の上被覆板を外した状態を示す斜視図である。
【図９】図８に示す取付具の連結体から取付環を外した状態を示す斜視図である。
【図１０】図８に示す取付具の連結体と取付環の固定状態を示す断面図である。
【図１１】この発明のランドセルの取付具のさらに他の例の上被覆板を外した状態を示す斜視図である。
【図１２】図１１に示す取付具の連結体から取付環を外した状態を示す斜視図である。
【図１３】図３に示すこの発明のランドセルの取付具の連結体に肩掛けベルトを取り付けた状態を示す側面図である。
【図１４】図１３に示すこの発明のランドセルを背負った状態を示す説明図である。
【図１５】図５に示すこの発明のランドセルの取付具の連結体に肩掛けベルトを取り付けた状態を示す側面図である。
【図１６】図１５に示すこの発明のランドセルを背負った状態を示す説明図である。
【図１７】図８に示すこの発明のランドセルの取付具の連結体に肩掛けベルトを取り付けた状態を示す側面図である。
【図１８】図１１に示すこの発明のランドセルの取付具の連結体に肩掛けベルトを取り付けた状態を示す側面図である。
【図１９】従来のランドセルの取付具の斜視図である。
【図２０】従来のランドセルを背当て部側から見た状態を示す部分斜視図である。
【図２１】従来のランドセルを背負った状態を示す説明図である。
【符号の説明】
１  肩掛けベルト
２  ランドセル本体
３  背当て部
４  取付具
５  連結体
６  取付環
【図１】
2004267687.tif 000003
【図２】
2004267687.tif 000004
【図３】
2004267687.tif 000005
【図４】
2004267687.tif 000006
【図５】
2004267687.tif 000007
【図６】
2004267687.tif 000008
【図７】
2004267687.tif 000009
【図８】
2004267687.tif 000010
【図９】
2004267687.tif 000011
【図１０】
2004267687.tif 000012
【図１１】
2004267687.tif 000013
【図１２】
2004267687.tif 000014
【図１３】
2004267687.tif 000015
【図１４】
2004267687.tif 000016
【図１５】
2004267687.tif 000017
【図１６】
2004267687.tif 000018
【図１７】
2004267687.tif 000019
【図１８】
2004267687.tif 000020
【図１９】
2004267687.tif 000021
【図２０】
2004267687.tif 000022
【図２１】
2004267687.tif 000023